(57)【要約】【課題】  灰皿に関する利便性を向上させることのできる遊技機を提供する。【解決手段】  筐体２の開口を開閉するドア２３に、上部の開口したコインカップ２６を装着し、このコインカップ２６に、払い出されたコインＣを貯留する遊技機であって、コインカップ２６を左右方向に伸びる横長に形成してその内部には灰皿３２を左右方向にスライド可能に嵌入した。コインカップ２６の左右方向に灰皿をスライドさせることができるので、喫煙する遊技者の利き腕等にかかわらず、使い勝手を向上させることができる。【選択図】  図１
2007075308.tif 000002
【特許請求の範囲】
【請求項１】
筐体の開口を開閉するドアに、上部の開口したコインカップを取り付け、このコインカップに、払い出されたコインを貯留する遊技機であって、
コインカップを左右方向に伸びる横長に形成してその内部には灰皿を左右方向にスライド可能に嵌め入れたことを特徴とする遊技機。
【請求項２】
コインカップの底部に、灰皿に接触してそのスライドを規制するストッパを設けた請求項１記載の遊技機。
【請求項３】
コインカップの周壁に、左右方向に伸びる案内溝を形成し、灰皿から案内溝に嵌まる案内片を突出させた請求項１又は２記載の遊技機。
【請求項４】
灰皿は、コインカップの内部にスライド可能に嵌め入れられたスライド体と、このスライド体に取り外し可能に嵌め入れられた略有底筒形の灰皿本体とを含む請求項１、２、又は３記載の遊技機。
【請求項５】
ドアの裏面側に、コインを払い出すドアの払出口に位置する灰皿をドアの裏面側から固定する固定体を備えた請求項１ないし４いずれかに記載の遊技機。
【発明の詳細な説明】
【技術分野】
【０００１】
本発明は、必要に応じて灰皿の位置を変更することのできる遊技機に関するものである。
【背景技術】
【０００２】
パチスロと呼ばれる従来の遊技機は、図示しないが、筐体を開閉するドアの表面下部に、上部の開口したコインカップが装着され、このコインカップに、ドアの払出口から払い出された複数枚のコイン（メダルともいう）が貯留される（特許文献１参照）。
コインカップは、所定の樹脂を使用して左右方向に伸びる横長に成形され、その左側部には、喫煙用の灰皿が前方に回転可能に軸支されたり、あるいは固定されている。
【特許文献１】特開２００４‐１５９７８３号公報
【発明の開示】
【発明が解決しようとする課題】
【０００３】
従来における遊技機は、以上のようにコインカップの左側部に、喫煙用の灰皿が単に位置決めして設けられているので、喫煙する遊技者の利き腕等によっては使い勝手が非常に良くないという大きな問題がある。例えば、遊技者が右手で喫煙する場合に、コインカップの右側部に灰皿が存在すれば、煙草を挟む指と灰皿との距離が狭まるので、煙草の灰や吸殻を簡単に処理して遊技に興じることができる。これに対し、コインカップの左側部に灰皿が存在すると、灰や吸殻の処理の際、身体を斜めにかがめる必要があるので不便である。
【０００４】
本発明は上記に鑑みなされたもので、灰皿に関する利便性を向上させることのできる遊技機を提供することを目的としている。
【課題を解決するための手段】
【０００５】
本発明においては上記課題を解決するため、筐体の開口を開閉するドアに、上部の開口したコインカップを取り付け、このコインカップに、払い出されたコインを貯留する遊技機であって、
コインカップを左右方向に伸びる横長に形成してその内部には灰皿を左右方向にスライド可能に嵌め入れたことを特徴としている。
【０００６】
なお、コインカップの底部に、灰皿に接触してそのスライドを規制するストッパを設けることができる。
また、コインカップの周壁に、左右方向に伸びる案内溝を形成し、灰皿から案内溝に嵌まる案内片を突出させることができる。
【０００７】
また、灰皿は、コインカップの内部にスライド可能に嵌め入れられたスライド体と、このスライド体に取り外し可能に嵌め入れられた略有底筒形の灰皿本体とを含むことが好ましい。
さらに、ドアの裏面側に、コインを払い出すドアの払出口に位置する灰皿をドアの裏面側から固定する固定体を備えることもできる。
【０００８】
ここで、特許請求の範囲におけるストッパは、各種のバネや弾性エラストマー等からなる弾性体を介して設置されることが好ましい。このストッパは、複数が好ましいが、単数でも良く、又上下動可能の有無、略ピン形、略板形等の形状を特に問うものではない。案内溝は、コインカップの周壁を形成する正面壁や背面壁等に複数形成することができ、貫通の有無を特に問うものではない。また、案内片は、灰皿やそのスライド体に複数形成することができる。
【０００９】
灰皿のスライド体は、ドアの払出口を覆う高さ・大きさであれば、有底筒形でも良いし、筒形でも良く、平面視で矩形、多角形、円形、楕円形等に適宜形成することが可能である。また、灰皿本体は、有底筒形の矩形、多角形、円形、楕円形等に適宜形成することが可能である。固定体としては、単数複数の規制棒であるボルト、ピン、ビス等を着脱自在に利用することが可能である。
【００１０】
遊技機は、スロットマシン（パチスロ）の場合には、ＡタイプやＢタイプ等があるが、可変表示装置に表示した複数の識別情報をそれぞれ変動させた後に停止させ、この停止した複数の識別情報の組み合わせが予め定められた当選の組み合わせであるときには、通常遊技状態から遊技者に有利な特別遊技状態に移行する機器であれば、いずれのタイプでも良い。
【発明の効果】
【００１１】
本発明によれば、遊技者の利き腕や姿勢等にかかわらず、灰皿に関する利便性を向上させることができるという効果がある。すなわち、遊技者が右手で喫煙する場合には、コインカップの右側部に灰皿をスライドさせれば、煙草を挟む指と灰皿との距離が狭まるので、煙草の灰や吸殻を簡単に処理して遊技を楽しむことができる。また、遊技者が左手で喫煙する場合には、コインカップの左側部に灰皿をスライドさせれば、灰や吸殻の処理の際、身体を斜めにかがめる必要がない。
【００１２】
また、コインカップの底部に、灰皿に接触してそのスライドを規制するストッパを設ければ、スライドさせた灰皿の位置ずれを抑制防止することができる。
また、コインカップの周壁に、左右方向に伸びる案内溝を形成し、灰皿から案内溝に嵌まる案内片を突出させれば、がたつきを招くことなく、灰皿を円滑にスライドさせ、希望の箇所に移動させることが可能になる。
【００１３】
また、灰皿を、コインカップの内部にスライド可能に嵌め入れられたスライド体と、このスライド体に取り外し可能に嵌め入れられた略有底筒形の灰皿本体とから構成すれば、スライド体から汚れた灰皿本体を取り外して簡単に清掃することができるし、消臭剤や砂等の充填に便宜を図ることが可能になる。
【００１４】
さらに、ドアの裏面側に、コインを払い出すドアの払出口に位置する灰皿をドアの裏面側から固定する固定体を備えれば、食事のために遊技者が席を立った際等に第三者が勝手に遊技したり、ドアの払出口を利用した不正行為が行なわれるのを防ぐことが可能になる。
【発明を実施するための最良の形態】
【００１５】
以下、図面を参照して本発明の好ましい実施の形態、具体的にはスロットマシンと呼ばれている遊技機の基本的な構成から説明する。本実施形態における遊技機は、図１ないし図１４に示すように、サンドと呼ばれている遊技用のコイン貸出機に隣接する縦長の筐体ユニット１と、この筐体ユニット１に着脱可能に収納されるメインユニット７０と、これら筐体ユニット１やメインユニット７０の抽選用のリール装置７６等に電力を供給する電源ユニット１１０と、この電源ユニット１１０からコネクタ等を介し電力を供給されて全体を制御する制御装置１３０とを備え、分離型のスロットマシンとして遊技店の一ブロックであるシマに設置されている。
【００１６】
コイン貸出機は、例えば細長い縦長のボックスに構成され、正面の下部にコイン用の受皿が設置されており、正面の上部には貨幣投入口が形成されている。このようなコイン貸出機は、左右一対の遊技機の間や各遊技機の横に並べて配置され、貨幣投入口に貨幣が投入されることにより、受皿に貨幣の金額に応じたコイン（メダルともいう）Ｃを供給するよう機能する。コインＣは、例えば直径２５ｍｍ、厚さ１．６ｍｍの大きさを有する円板に形成されている。
【００１７】
筐体ユニット１は、図１ないし図４に示すように、正面の開口したフロントオープンボックスタイプの筐体２と、この筐体２の開口した正面の下半分を開閉するドア２３とを備え、筐体２内に、コインＣを払い出すホッパー装置１９とキャシュボックス２１とが左右に並べて設置されている。
【００１８】
筐体２は、図４に示すように、上下方向に間隔をおいて相対向する底板３と天井板４とを備え、これら横長の底板３と天井板４との後部間には、縦長で長方形の背面板５が垂直に架設されるとともに、底板３と天井板４との両側部間には、縦長で台形の側板６がそれぞれ垂直に架設されており、これら背面板５と左右一対の側板６とが相互に接続されている。
【００１９】
筐体２の底板３は図４に示すように、天井板４よりも大きい平面視長方形の平板に形成され、筐体２の前後方向に伸びる平面略トラック形の長孔７が左右に並べて穿孔されており、各長孔７が平面視長方形の目隠し板８により上方から積層被覆されている。天井板４の内面には、リール装置７６、電源ユニット１１０、及び制御装置１３０等のコネクタと接続するコネクタブラケットが装着されている。
【００２０】
背面板５には図４に示すように、ホッパー装置１９にシマの補給パイプからコインＣを補給するための補給口９や通気用の複数の溝孔等が穿孔され、背面板５の下部内面の左側部寄りには、演出音、エラー音、効果音、報知音等を鳴り響かせる大型の背面スピーカ１０が装着されている。
【００２１】
一対の側板６の中央部間には、横長の開口を備えた仕切り棚板１１が水平に架設され、この仕切り棚板１１により筐体２の内部空間が上下に二分されている。下半分の内部空間１２には、ホッパー装置１９、キャシュボックス２１、及び電源ユニット１１０等が収納され、上半分の内部空間１２Ａには、メインユニット７０や制御装置１３０がまとめて収納されている。
【００２２】
各側板６の中央部よりもやや上方には、運搬用の把持孔１３が水平に穿孔され、各側板６の上部内面には、メインユニット７０を着脱自在に保持するクリップ１４やカシメ等が装着されている。また、左側の側板６には、ドア用のヒンジ機構１５や蛍光灯安定器１６等がそれぞれ装着され、右側の側板６には、ドア用の鍵受１７や複数の端子を備えた集中端子板１８がベース体を介しそれぞれ装着されており、この集中端子板１８には、メインユニット７０のリール装置７６や遊技店のホールコンピュータＨＣがハーネスやコネクタ等を介し接続されている。
【００２３】
ホッパー装置１９は、図３や図４に示すように、ホッパーモータを内蔵した本体と、この本体上に搭載されて補給口９の下方に位置するホッパータンク２０とを備え、底板３の中央部に設置されており、ホッパーモータの駆動に基づき、ローターディスクが回転してホッパータンク２０内に貯留されたコインＣを遊技結果に応じてシュートを介し払い出すよう機能する。
【００２４】
キャシュボックス２１は、図３や図４に示すように、上面の開口した縦長のトップオープンボックスに形成され、底板３の右側部に設置されて筐体２の側板６とホッパー装置１９との間に介在配置されており、ホッパー装置１９のホッパータンク２０からオーバーしたコインＣや遊技者により投入されたコインＣを回収するよう機能する。
【００２５】
ドア２３は、図３や図５に示すように、正面視横長の長方形に形成され、側板６のヒンジ機構１５にヒンジ機構１５を介し回転可能に支持されている。このドア２３は、その裏面にホッパー装置１９の前方に位置する貫通口付きのシューターカバー２４が装着され、下部中央には正面視正方形の払出口２５が穿孔されるとともに、略中央部には横長の下部リフレクター４０が正面側から積層されており、上部にはコイン投入口４７と操作ユニット６０とが左右に並べて設置されている。
【００２６】
ドア２３の正面下部には図１、図２、図４等に示すように、ホッパー装置１９から払出口２５を介し払い出されたコインＣを貯留する横長のコインカップ２６が装着されている。このコインカップ２６は、図５ないし図７に示すように、所定の樹脂を用いて上部の開口したトップオープンボックスに成形され、その背面壁の中央部上方には、払出口２５からのコインＣを下方に導く滑走路２７が傾斜して形成されており、内部には、左右方向にスライドする喫煙用の灰皿３２が僅かな隙間Ｓをおいて嵌入されている。
【００２７】
コインカップ２６は、図１、図２、図５、図６、図７等に示すように、左右に横長の平面長方形に形成され、灰皿３２の底部との隙間Ｓがコイン１枚分の厚さ以下の長さ（高さ）に設定されており、コインＣが侵入して灰皿３２の左右方向へのスライドに支障を来たすのを抑制防止するよう機能する。
【００２８】
コインカップ２６の底部の左右両側部には、灰皿分のスペースをおいて前後一対の取付穴２８がそれぞれ穿孔され、各取付穴２８には、灰皿３２に接触可能なピン形のストッパ２９がコイルバネ３０を介し上下動可能に嵌入されており、各ストッパ２９が灰皿３２に圧接されることにより下降して灰皿３２のスライドを許容するとともに、灰皿３２との接触により灰皿３２のスライドを規制するよう機能する。また、コインカップ２６の正面壁と背面壁には、灰皿３２を左右方向に導く案内溝３１がそれぞれ直線的に切り欠かれている。
【００２９】
灰皿３２は、図７に示すように、コインカップ２６の内部にスライド可能に嵌入された有底角筒形のスライド体３３と、このスライド体３３に着脱自在に嵌入された有底角筒形の灰皿本体３４とを備え、基本的にはコインカップ２６の左側部に位置している。灰皿３２のスライド体３３と灰皿本体３４とは、それぞれ所定の樹脂を使用して成形され、スライド体３３の正面壁と背面壁からはコインカップ２６の案内溝３１にスライド可能に嵌合する板形の案内片３５がそれぞれ水平に突出している。また、灰皿本体３４の開口した上部の周縁からは遊技者等の操作や着脱を容易化するフランジ３６が外方向に突出している。
【００３０】
下部リフレクター４０は、図５に示すように、正面の開口した断面略皿形に形成され、凹んだ内部には、光度安定用の蛍光灯安定器１６に接続される照明用の下部蛍光灯４１が着脱自在に水平に装着されている。この下部リフレクター４０の正面には、横長の下部パネル枠４２が遊技機の前後方向に起伏可能に支持され、この下部パネル枠４２内には、下部蛍光灯４１を覆う光透過性の下部パネル４３が上方から着脱自在にスライド嵌合されており、下部パネル枠４２の下部には、横長のコインカップレンズ４４が装着されている。
【００３１】
下部パネル４３は、図１や図５に示すように、所定の合成樹脂を使用して横長の長方形に形成され、遊技機の名称を含む各種の意匠が施されており、正面の下部両側には、不正改造の防止に資する証紙４５と許諾証４６とがそれぞれ貼着されている。
【００３２】
コイン投入口４７は、ドア２３の上部の凹んだ右側に投入口カバー４８を介して装着され、遊技者により遊技の契機として投入されたコインＣをドア裏面のコインセレクタ４９に供給し、この真偽判別用のコインセレクタ４９から適正なコインＣのみが下方のキャシュボックス２１に落下する。不適正なコインＣは、払出口２５からコインカップ２６に払い出される。
【００３３】
投入口カバー４８には、コイン返却ボタン５０と鍵穴５１とが間隔をおき左右に並べて配設され、この鍵穴５１を貫通した鍵５２がドア２３の錠前機構５３に挿入され、かつ回転操作されることにより、縦長の錠前機構５３の係止爪が筐体２の鍵受１７に係止し、筐体２の開口した正面の下半分を覆うドア２３がロック、アンロックされる。錠前機構５３はドア２３の裏面右側部にドアセンサ５４と共に装着され、ドアセンサ５４はドア２３の開閉を検知する。
【００３４】
操作ユニット６０は、図１、図２、図８に示すように、ドア２３の上部の左側から略中央部にかけて螺着される操作プレート６１を備え、この操作プレート６１に、１ＢＥＴボタン６２、ＭＡＸＢＥＴボタン６３、スタートレバー装置６４、複数のストップボタン６６、及びキャンセルボタン６８が配設されている。操作プレート６１は、断面略倒Ｌ字形、く字形、あるいは倒へ字形等に屈曲して横長に形成され、下方に伸びる正面壁が下部パネル４３の直上に配置されている。
【００３５】
１ＢＥＴボタン６２は、操作プレート６１の上部左側に設置され、クレジットがある場合に一度押圧操作されることにより、１枚のコインＣをゲームに掛けることができるよう機能する。
なお、遊技機は、遊技者のコイン投入の手間を省くことができるよう、コインカップ２６に払い出されるコインＣを最高５０枚までクレジットとして使用できるよう構成されるのが一般的である。
【００３６】
ＭＡＸＢＥＴボタン６３は、１ＢＥＴボタン６２の右方向近傍に設置され、クレジットがある場合に一度押圧操作されることにより、最高３枚のコインＣをゲームに掛けることができるよう機能する。
スタートレバー装置６４は、操作プレート６１の正面壁左側部に装着され、コイン投入口４７にコインＣが投入された後にレバー軸６５が押し下げられる（叩くともいう）ことにより、リール装置７６を構成する複数（本実施形態では３本）のリール８１の回転契機となるよう機能する。
【００３７】
複数のストップボタン６６は、操作プレート６１の正面壁中央部にボタンプレート６７を介し横一列に並設されてリール装置７６のリール数に対応し、各ストップボタン６６が押圧操作されることにより、対応するリール８１の回転が停止する。
なお、コインＣの投入から複数のリール８１の停止までを１ゲームというのが一般的である。
また、キャンセルボタン６８は、スタートレバー装置６４の近傍に設置され、押圧操作されることにより、ゲームをキャンセルしてコインＣを払い出す清算機能を発揮する。
【００３８】
メインユニット７０は、図９ないし図１１に示すように、筐体２の仕切り棚板１１上に着脱自在に搭載されるフロントオープンボックスタイプのメインフレーム体７１と、このメインフレーム体７１内に開口した正面側から収納されるリール装置７６と、メインフレーム体７１の正面を開閉するキャビネット８８と、このキャビネット８８に装着されてリール装置７６に隣接する液晶ユニット１０６とを備えて構成されている。
【００３９】
メインフレーム体７１は、筐体２の仕切り棚板１１上に着脱自在に搭載されるベース板７２に、正面の開口したメインフレーム７３が載置されることにより構成されている。ベース板７２は、矩形の横長に形成され、複数の孔や溝が形成されている。また、メインフレーム７３は、その正面の両側部間にリールフレーム７４と不正防止板７５とが間隔をおいて上下に並べて架設されている。このメインフレーム７３の正面の左側部には、キャビネット８８用のヒンジ機構１５が縦長に装着され、メインフレーム７３の正面の右側部には、キャビネット８８用の鍵受１７が縦長に装着されている。
【００４０】
リール装置７６は、メインフレーム体７１のベース板７２上に螺着される断面略Ｃ字形のリールボックス７７と、このリールボックス７７の内底左右方向に間隔をおいて立設される複数のモータプレート７８と、各モータプレート７８に装着支持され、回転角の制御に便利なステッピングモータ等からなるモータ８０とを備え、各モータ８０の横方向に指向する駆動軸にはリール８１が嵌着されている。
【００４１】
各モータプレート７８には、リール８１のバックライトとして点灯・消灯するバックライト基板が装着されている。リール８１は、モータ８０の駆動軸に嵌着されるドラム８２を備え、このドラム８２には、合成樹脂製のリールテープ８３が嵌合されており、このエンドレスのリールテープ８３の表面には、識別情報である抽選用の図柄８４が複数（例えば２１個）周方向に間隔をおいて描かれている。
【００４２】
リール８１の抽選用の図柄８４は小当たりの役を示す普通図柄８５と、大当たりの役を示す特別図柄８６と、成立したゲームと同じ投入枚数のゲームを無料で行なえる役を示す再遊技図柄８７とに分類され、特別図柄８６はさらに通常図柄８６Ａと特定図柄８６Ｂとに分類される。
【００４３】
普通図柄８５としては、「スイカ」、「チェリー」、「ベル」等を模した図柄があげられる。特別図柄８６の通常図柄８６Ａとしては、レギュラーボーナスと呼ばれる「ＢＡＲ」があげられ、特別図柄８６の特定図柄８６Ｂとしては、ビッグボーナスと呼ばれる「７」があげられる。また、再遊技図柄８７としては、「Ｒｅｐｌａｙ」や「ＲＰ」があげられる。
【００４４】
このようなリール装置７６は、コインＣ投入後の停止時に複数の図柄８４を３×３のマトリクスに表示して入賞ラインを横３本・斜め２本の合計５本設定し、モータ８０の駆動時には複数のリール８１が共に回転したり、個別に回転し、図柄８４を用いて当たり外れを抽選し、大当たりの場合には、通常の遊技状態から遊技者に有利な特別遊技状態に移行させるよう機能する。例えば、抽選の結果、「スイカ」「ＢＡＲ」「７」のように複数の図柄８４の組み合わせが横方向あるいは斜め方向に全て揃ったが、予め定められた同種の図柄８４の組み合わせでない場合には、外れとなる。
【００４５】
これに対し、「スイカ」「スイカ」「スイカ」のように複数の図柄８４の組み合わせが横方向あるいは斜め方向に全て揃い、予め定められた普通図柄８５の組み合わせとなる場合には、小当たりの役に当選してコインカップ２６に１〜１５枚のコインＣがホッパー装置１９から払い出される。
【００４６】
また、「ＢＡＲ」「ＢＡＲ」「ＢＡＲ」のように選択された複数の図柄８４の組み合わせが横方向あるいは斜め方向に全て揃い、予め定められた通常図柄８６Ａの組み合わせとなる場合には、大当たりの役のレギュラーボーナスに当選して高確率で払い出しのあるゲームが所定回数（例えば１２回）可能になる。さらに、「７」「７」「７」のように選択された複数の図柄８４の組み合わせが全て揃い、予め定められた特定図柄８６Ｂの組み合わせとなる場合には、大当たりの役のビッグボーナスに当選し、小当たりとレギュラーボーナスが高確率で当選するゲームが所定回数（例えば３０回）可能になる。
【００４７】
キャビネット８８は、正面視横長の矩形に形成され、リール装置７６や液晶ユニット１０６視認用の開口８９が横長に形成されており、メインフレーム体７１のヒンジ機構１５にヒンジ機構１５を介して回転可能に支持されている。このキャビネット８８の裏面における開口８９の下部周縁には、横長の中部基板９０が同じく横長の中部不正防止板９１を介し裏面側から装着され、この中部基板９０の表面には、ランプを含む複数の表示器９２・９２Ａ・９２Ｂが横一列に配列されている。
【００４８】
キャビネット８８の裏面における開口８９の上方には、照明用の蛍光灯９３が横長の上部リフレクター９４やコネクタ等を介し裏面側から着脱自在に水平に装着され、この蛍光灯９３の上方には、リール装置７６に接続されたサブ中継基板９５とランプ付きのアーチランプ基板９６とが上下に並べて装着されており、サブ中継基板９５の制御下でアーチランプ基板９６のＬＥＤやランプが点灯、点滅して遊技者の射幸心を適度に煽るよう機能する。
【００４９】
キャビネット８８の裏面における上部両側の取付孔には、サブ中継基板９５の制御下で演出音、エラー音、効果音、報知音を響かせる上部スピーカ９７が正面略矩形のグリル９８を介し裏面側からそれぞれ嵌着されている。また、キャビネット８８の裏面右側部には、縦長の錠前機構５３が設置され、この錠前機構５３がメインフレーム７３の鍵受１７に係止されることにより、メインフレーム体７１の正面がキャビネット８８に覆われる。
【００５０】
キャビネット８８の表面には、開口８９、中部基板９０、蛍光灯９３、及び液晶ユニット１０６等を覆う光透過性の上部パネル９９が重ねて装着され、この上部パネル９９の表面周囲には、装飾された上部パネル枠１００が重ねて装着されている。上部パネル９９は、各種の意匠が施され、下部中央には、複数の表示窓１０１・１０１Ａ・１０１Ｂが横一列に形成されており、この複数の表示窓１０１・１０１Ａ・１０１Ｂから中部基板９０の表示器９２・９２Ａ・９２Ｂがそれぞれ露出して各種の表示機能を発揮する。
【００５１】
例えば、左側部の表示器９２はコインＣの払い出し枚数（例えば、一度に最高１５枚払い出される）や各種のエラー（例えば、払い出されるコインＣの詰まりや制御装置１３０のＣＰＵエラー等）を表示窓１０１に表示し、中央部の表示器９２Ａは現時点における抽選の当選確率の設定値や選択された当選確率の設定値を表示窓１０１Ａに点滅表示する。また、右側部の表示器９２Ｂは、コインＣのクレジット数を表示窓１０１Ｂに表示する。
【００５２】
キャビネット８８の表面における上部中央には、中部基板９０の露出したランプを覆う上部ランプレンズ１０２が装飾して装着され、キャビネット８８の表面における上部両側には、露出した上部スピーカ９７を覆うスピーカレンズ１０３がそれぞれ装飾して装着されており、これら上部ランプレンズ１０２とスピーカレンズ１０３との間の下方には、サブ中継基板９５に制御される湾曲したアーチ基板１０４が装着されるとともに、このＬＥＤ付きのアーチ基板１０４には、略円弧形に湾曲して装飾されたＬＥＤレンズ１０５が重ねて被覆されている。
【００５３】
液晶ユニット１０６は、縦長に形成され、キャビネット８８の開口右側部に嵌着して上部パネル９９に被覆されており、サブ中継基板９５に接続されて遊技時にナビゲーション機能、演出を動画で表現する機能、ボーナス入賞回数等を表示する機能等を発揮する。
【００５４】
電源ユニット１１０は、図１３に示すように、背面スピーカ１０、蛍光灯安定器１６、ホッパー装置１９、下部蛍光灯４１、コインセレクタ４９、操作ユニット６０、リール装置７６、液晶ユニット１０６等の要通電部分に電力を供給する電源装置１１１と、抽選の当選確率を含む初期設定等を変更する設定装置１１６とを備え、筐体２の仕切り棚板１１の下面に下方から装着されてホッパー装置１９の上方に位置し、遊技店のコンセントに接続されるとともに、外部のアースにアース線を介して接続されている。
【００５５】
電源装置１１１は、正面のメインスイッチ１１２がＯＮ／ＯＦＦされることにより主電源をＯＮ／ＯＦＦする機能と、正面のヒューズ１１３により過電流から回路を保護する機能と、正面のＡＣランプ１１４の点灯によりＡＣ１００Ｖが接続されていることを示す機能と、正面のパワーランプ１１５の点灯により制御装置１３０の電源が正常であることを示す機能等を有している。
【００５６】
設定装置１１６は、専用のキー１１７を用いた正面の設定キースイッチ１１８の回転操作により抽選の当選確率を含む設定を変更したり、確定させる機能と、正面の設定変更スイッチ１１９の操作により設定を変更したり、エラーが発生した場合にエラーを解除する機能と、正面の打ち止め切り替えスイッチ１２０の操作により大当たり終了時に自動的に打ち止めを解除して遊技を継続させたり、大当たり終了時にクレジット内のコインＣを全て払い出す機能等を有している。
【００５７】
なお、当選確率を含む設定を変更する場合には、先ず、遊技機のドア２３を開けて電源ユニット１１０の設定キースイッチ１１８をＯＮにし、メインスイッチ１１２をＯＮにして制御装置１３０をクリアし、電源ユニット１１０の設定変更スイッチ１１９を操作して１〜６段階の確率を選択する。１〜６段階の確率を選択したら、リール８１を回転させるスタートレバー装置６４のレバー軸６５を押し下げて選択した確率を確定させ、その後、電源ユニット１１０の設定キースイッチ１１８をＯＦＦにして制御装置１３０をクリアすれば、設定を変更することができる。
【００５８】
制御装置１３０は、図１４に示すように、リール装置７６や中部基板９０に接続されたメイン基板と呼ばれる主制御装置１３１と、この主制御装置１３１からの制御信号を受信してその制御下で作動するサブ基板と呼ばれる副制御装置１４０とを備えて構成されている。
【００５９】
主制御装置１３１は、プリント基板からなる回路基板に演算処理機能を有するＣＰＵ、ＲＯＭ、ＲＡＭ、ＬＥＤ、その他の電子部品が実装され、不正改造防止用の透明の樹脂ケース１３２に強固に収納封止されており、この樹脂ケース１３２がメインフレーム７３の背面両側部間にベースを介し水平に架設されて正面視でリール装置７６の上方に位置している。
【００６０】
このような主制御装置１３１は、ＣＰＵがＲＡＭを作業領域としてＲＯＭに記憶された所定のプログラムを読み込むことにより、コンピュータとして所定の手段を実現し、コインセレクタ４９、スタートレバー装置６４を含む操作ユニット６０、リール装置７６、中部基板９０、電源ユニット１１０等の動作を制御するよう機能する。
【００６１】
所定の手段としては、例えばスタートレバー装置６４の操作に基づき、予め定められた抽選の確率により当選か否かを抽選する当選抽選手段、ホッパー装置１９やリール装置７６を制御する遊技制御手段等があげられる。当選抽選手段は抽選用の乱数発生機能、乱数抽出機能、当選判定テーブル機能、判定テーブル機能等を含み、遊技制御手段は通常遊技機能や特別遊技機能等を含む。
【００６２】
副制御装置１４０は、プリント基板からなる回路基板に演算処理機能を有するＣＰＵ、ＲＯＭ、ＲＡＭ、サウンドボリューム、リセットスイッチ、点検用のモニタＬＥＤ、その他の電子部品が実装され、メインフレーム体７１の内部右側に立てた状態で収納封止されてリール装置７６に隣接している。このような副制御装置１４０は、ＣＰＵがＲＡＭを作業領域としてＲＯＭに記憶された所定のプログラムを読み込むことにより、背面スピーカ１０、サブ中継基板９５、上部スピーカ９７等の動作を制御する。
【００６３】
上記において、スロットマシンと呼ばれる遊技機で遊技する場合には、先ず、コイン投入口４７に借りて来たコインＣを好ましくは３枚投入してスタートレバー装置６４のレバー軸６５を押し下げ、上部パネル９９に複数の図柄８４を３×３のマトリクスに表示している複数のリール８１をそれぞれ回転させる。
【００６４】
この際、コインＣを３枚以上投入すると、表示器８２Ａがクレジットの増加を表示し、５０枚以上になると、コインカップ２６内にコインＣが払い出される。クレジットがある場合、ＭＡＸＢＥＴボタン６３を押圧操作すれば、コインＣを投入しなくても３枚掛けることができ、便利である。また、スタートレバー装置６４のレバー軸６５が押し下げられると、制御装置１３０の主制御装置１３１に信号が出力され、この主制御装置１３１の当選抽選手段が当たり外れを抽選するとともに、リール装置７７を駆動させる。
【００６５】
次いで、複数のストップボタン６６を順次押圧操作して複数のリール８１を全て停止させる。上記抽選の結果が当たりの場合には、「７」「７」「７」のように複数の図柄８４が一直線に揃い、予め定められた特定図柄８６Ｂの組み合わせとなる。したがって、この場合には、ビッグボーナスに当選し、小当たりとレギュラーボーナスが高確率で当選するゲームを所定回数楽しむことができるとともに、コインＣが図柄８４に応じた枚数分（例えば２２０〜６３０枚）コインカップ２６に払い出される。以下、上記ゲームが繰り返される。
【００６６】
さて、遊技者が右手で喫煙する場合には、遊技の開始前にコインカップ２６の左側部に位置する灰皿３２を掴み、右方向にスライドさせれば良い。
すると、灰皿３２は、案内溝３１に案内されつつコインカップ２６の右側部方向に水平にスライドし、コインカップ２６の右側部に衝突して停止するので、煙草の灰や吸殻を簡単に処理して遊技に興じることができる。この際、コインカップ２６の左側部に位置するストッパ２９は、灰皿３２との接触に伴い下降して灰皿３２のスライドを許容し、その後、圧縮したコイルバネ３０の復元作用により上昇復帰する。
【００６７】
また、コインカップ２６の右側部に位置するストッパ２９は、灰皿３２との接触に伴い下降して灰皿３２のスライドを許容し、その後、圧縮したコイルバネ３０の復元作用により上昇復帰し、灰皿３２の下部に干渉してその左方向へのずれを規制する。
【００６８】
上記構成によれば、コインカップ２６の左右方向に灰皿３２をスライドさせることができるので、喫煙する遊技者の利き腕等にかかわらず、使い勝手を著しく向上させることができる。また、灰や吸殻の処理の際、身体を斜めにかがめる必要がなく、利便性を大幅に向上させることができる。さらに、コインカップ２６と灰皿３２との隙間Ｓがコイン１枚分の厚さ以下の長さなので、これらにコインＣを挟んで灰皿３２のスライドに支障を来たすのをきわめて有効に防止することが可能になる。
【００６９】
次に、図１５は本発明の第２の実施形態を示すもので、この場合には、コインカップ２６の底部の左右両側部に、灰皿分のスペースをおいて溝形の取付穴２８をそれぞれ切り欠き、各取付穴２８には、灰皿３２に接触可能な板形のストッパ２９をコイルバネ３０を介し上下動可能に嵌入するようにしている。
取付穴２８やストッパ２９は、上記実施形態と異なり、コインカップ２６の底面の前端部から後端部にかけて伸びている。その他の部分については、上記実施形態と同様であるので説明を省略する。
【００７０】
本実施形態においても上記実施形態と同様の作用効果が期待でき、しかも、コインカップ２６の前端部から後端部に亘ってストッパ２９が伸びているので、例えコインカップ２６と灰皿３２の底部との隙間Ｓをコイン１枚分の厚さ以上の長さに設定しても、コインＣを挟んで灰皿３２のスライドに支障を来たすのをきわめて有効に防止することが可能になる。
【００７１】
次に、図１６、図１７は本発明の第３の実施形態を示すもので、この場合には、コインＣを払い出すドア２３の払出口２５付近に、複数の螺子孔３７を穿孔し、各螺子孔３７には、払出口２５にスライドした灰皿３２の背面に圧接するボルト等の螺子３８（固定体）をドア２３の裏面側から挿入し、この螺子３８により払出口２５を正面側から覆う灰皿３２を位置決め固定するようにしている。その他の部分については、上記実施形態と同様であるので説明を省略する。
【００７２】
本実施形態においても上記実施形態と同様の作用効果が期待でき、しかも、食事時に遊技者が中座する場合に、店員の操作等により払出口２５を灰皿３２により隠蔽被覆することができるので、第三者が勝手に遊技機で遊技を楽しんだり、露出した払出口２５を利用した不正行為が行なわれるのをきわめて有効に防止することができるのは明らかである。また、螺子３８をドア２３の裏面側から挿入するので、店員等がドア２３を開放しない限り、螺子３８を回転操作することができず、これにより不正行為のさらなる防止が期待できる。
【００７３】
なお、上記実施形態ではコインカップ２６にストッパ２９を上下動可能に取り付けたが、何らこれに限定されるものではない。例えば、コインカップ２６の底部に、起立したストッパ２９を固定し、灰皿３２を構成するスライド体３３の底部に、スポンジ等の柔軟な緩衝材を貼着し、灰皿３２のスライド時にストッパ２９の上端部に緩衝材を圧接変形させて灰皿３２のスライドを許容するようにしても良い。
【００７４】
また、１ＢＥＴボタン６２を設置したが、何らこれに限定されるものではない。例えば１ＢＥＴボタン６２を省略することもできるし、２ＢＥＴボタンを設置しても良い。また、スタートレバー装置６４のレバー軸６５を上下方向に揺動させても良いが、左右方向や斜め方向に揺動させても良い。また、リール装置７６の役として、シングルボーナス、集中役、チャレンジタイム等を設けることが可能である。
【００７５】
また、リール装置７６のリールの制御に関しては、コントロール方式、テーブル方式、複合型等があるが、いずれをも採用することが可能である。さらに、告知ランプを設けて抽選に当選したことを報知することも可能である。さらにまた、縦長ではなく、横長の液晶ユニット１０６を設置することも可能である。
【図面の簡単な説明】
【００７６】
【図１】本発明に係る遊技機の実施形態におけるメインユニットを取り外した状態を示す全体斜視説明図である。
【図２】本発明に係る遊技機の実施形態を示す正面説明図である。
【図３】本発明に係る遊技機の実施形態におけるドアとキャビネットとを開放した状態を示す正面説明図である。
【図４】本発明に係る遊技機の実施形態における筐体ユニットを示す分解斜視説明図である。
【図５】本発明に係る遊技機の実施形態におけるドアを表面側から示す分解斜視説明図である。
【図６】本発明に係る遊技機の実施形態におけるコインカップと灰皿との関係を模式的に示す断面正面図である。
【図７】本発明に係る遊技機の実施形態におけるコインカップと灰皿との関係を示す断面正面図である。
【図８】本発明に係る遊技機の実施形態における操作ユニットを裏面側から示す分解斜視説明図である。
【図９】本発明に係る遊技機の実施形態におけるメインユニット等を示す分解斜視説明図である。
【図１０】本発明に係る遊技機の実施形態におけるリール装置を示す分解斜視説明図である。
【図１１】本発明に係る遊技機の実施形態におけるキャビネットを裏面側から示す分解斜視説明図である。
【図１２】本発明に係る遊技機の実施形態におけるキャビネットを表面側から示す分解斜視説明図である。
【図１３】本発明に係る遊技機の実施形態における電源ユニットを示す斜視説明図である。
【図１４】本発明に係る遊技機の実施形態を示す回路構成図である。
【図１５】本発明に係る遊技機の第２の実施形態におけるコインカップと灰皿との関係を示す断面側面図である。
【図１６】本発明に係る遊技機の第３の実施形態におけるドアとキャビネットとを開放した状態を示す正面説明図である。
【図１７】本発明に係る遊技機の第３の実施形態におけるコインカップと灰皿との関係を示す断面側面図である。
【符号の説明】
【００７７】
１          筐体ユニット
２          筐体
２３        ドア
２５        払出口
２６        コインカップ
２７        滑走路
２８        取付穴
２９        ストッパ
３０        コイルバネ
３１        案内溝
３２        灰皿
３３        スライド体
３４        灰皿本体
３５        案内片
３６        フランジ
３７        螺子孔
３８        螺子（固定体）
４７        コイン投入口
６０        操作ユニット
７０        メインユニット
７６        リール装置
１１０      電源ユニット
１３０      制御装置
Ｃ          コイン
Ｓ          隙間
【図１】
2007075308.tif 000003
【図２】
2007075308.tif 000004
【図３】
2007075308.tif 000005
【図４】
2007075308.tif 000006
【図５】
2007075308.tif 000007
【図６】
2007075308.tif 000008
【図７】
2007075308.tif 000009
【図８】
2007075308.tif 000010
【図９】
2007075308.tif 000011
【図１０】
2007075308.tif 000012
【図１１】
2007075308.tif 000013
【図１２】
2007075308.tif 000014
【図１３】
2007075308.tif 000015
【図１４】
2007075308.tif 000016
【図１５】
2007075308.tif 000017
【図１６】
2007075308.tif 000018
【図１７】
2007075308.tif 000019